(57)【要約】【課題】ユーザの利便性を向上できる買い物カートを提供する。【解決手段】買い物カート１０２は、可視光通信照明器具１０１からの可視光通信信号１１１を受信する受光部１４１と、可視光通信信号１１１に基づく通知信号１１２を携帯端末１０３に送信する送信部１４３とを有する可視光受信装置１２４を備える。例えば、買い物カート１０２は、さらに、商品を戴置する商品戴置部１２１と、取手部１２３とを備え、取手部１２３は、商品戴置部１２１の手前側に、商品戴置部１２１と略平行状態で配置された棒状体１３２を有し、可視光受信装置１２４は、棒状体１３２の中央部分に設けられている。【選択図】図２
2016162384.tif 000002
【特許請求の範囲】
【請求項１】
可視光通信照明器具からの可視光通信信号を受信する受光部と、
前記可視光通信信号に基づく通知信号を携帯端末に送信する送信部とを有する可視光受信装置を備える
買い物カート。
【請求項２】
前記買い物カートは、さらに、
商品を戴置する商品戴置部と、
取手部とを備え、
前記取手部は、前記商品戴置部の手前側に、前記商品戴置部と略平行状態で配置された棒状体を有し、
前記可視光受信装置は、前記棒状体の中央部分に設けられている
請求項１記載の買い物カート。
【請求項３】
前記可視光受信装置は、当該可視光受信装置と前記携帯端末との通信のためのペアリングを行う制御部を備える
請求項１又は２記載の買い物カート。
【請求項４】
請求項１〜３のいずれか１項に記載の買い物カートと、
前記可視光通信照明器具と、
前記携帯端末とを含み、
前記携帯端末は、前記通知信号に基づき、前記可視光受信装置の位置を判定する
買い物支援システム。
【請求項５】
前記携帯端末は、
食材の指定を受け付け、
指定された前記食材を用いた料理レシピを表示し、
前記指定された食材以外の前記料理レシピに含まれる食材の販売エリアを表示する
請求項４記載の買い物支援システム。
【請求項６】
前記携帯端末は、前記指定された前記食材と、食材販売店の特売情報で示される特売食材とに基づき前記料理レシピを表示する
請求項５記載の買い物支援システム。
【請求項７】
前記可視光通信照明器具は、前記特売情報を示す前記可視光通信信号を送信し、
前記可視光受信装置は、前記可視光通信信号に基づき、前記特売情報を示す前記通知信号を前記携帯端末に送信し、
前記携帯端末は、前記指定された前記食材と、前記通知信号で示される前記特売情報で示される前記特売食材とに基づき前記料理レシピを表示する
請求項６記載の買い物支援システム。
【発明の詳細な説明】
【技術分野】
【０００１】
本発明は、買い物カート及びそれを用いた買い物支援システムに関する。
【背景技術】
【０００２】
例えば、ショッピングセンターにおいて食材を購入する際に利用される買い物カートは、商品が戴置される商品戴置部と、商品戴置部を移動自在に支持する可動部と、可動部又は商品戴置部に取り付けられた取手部とを備えている。使用者は、購入する食材を商品戴置部に乗せることで買い物を楽に行うことができる。
【０００３】
一方で、ユーザが、買い物に出かける前に携帯端末で、どのような料理を作るかを設定した場合に、その料理に必要な食材を特売食品情報及びその販売店とともに表示する技術が提案されている（例えば、特許文献１を参照）。
【先行技術文献】
【特許文献】
【０００４】
【特許文献１】特開２０１１−２１５６９１号公報
【発明の概要】
【発明が解決しようとする課題】
【０００５】
このような、買い物カート及び買い物支援システムでは、ユーザの利便性を向上できることが望まれている。
【０００６】
そこで、本発明は、ユーザの利便性を向上できる買い物カート又は買い物支援システムを提供することを目的とする。
【課題を解決するための手段】
【０００７】
上記目的を達成するために、本発明に係る買い物カートは、可視光通信照明器具からの可視光通信信号を受信する受光部と、前記可視光通信信号に基づく通知信号を携帯端末に送信する送信部とを有する可視光受信装置を備える。
【発明の効果】
【０００８】
本発明は、ユーザの利便性を向上できる買い物カート又は買い物支援システムを提供できる。
【図面の簡単な説明】
【０００９】
【図１】実施の形態に係る買い物支援システムを示す図である。
【図２】実施の形態に係る買い物カートの概観を示す図である。
【図３】実施の形態に係る可視光受信装置の概観を示す図である。
【図４】実施の形態に係る可視光受信装置のブロック図である。
【図５】実施の形態に係る端末装置のブロック図である。
【図６】実施の形態に係る買い物支援システムの全体動作を示すフローチャートである。
【図７】実施の形態に係る買い物支援システムの自宅での使用例を示す図である。
【図８】実施の形態に係る端末装置の画面例を示す図である。
【図９】実施の形態に係る買い物支援システムの店舗での使用例を示す図である。
【図１０】実施の形態に係る買い物時の動作のフローチャートである。
【図１１】実施の形態に係る可視光ＩＤデータベースの一例を示す図である。
【図１２】実施の形態に係るレシピデータベースの一例を示す図である。
【図１３】実施の形態に係る端末装置の画面例を示す図である。
【図１４】実施の形態に係る端末装置の画面例を示す図である。
【図１５】実施の形態に係る端末装置の画面例を示す図である。
【図１６】実施の形態の変形例に係る買い物支援システムを示す図である。
【図１７】実施の形態に係る買い物支援システムを用いたサービスを説明するための図である。
【発明を実施するための形態】
【００１０】
以下、本発明の実施の形態について説明する。なお、以下に説明する実施の形態は、いずれも本発明の好ましい一具体例を示すものである。したがって、以下の実施の形態で示される、数値、形状、材料、構成要素、構成要素の配置位置及び接続形態、並びに、工程及び工程の順序などは、一例であって本発明を限定する主旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。なお、各図において、実質的に同一の構成に対しては同一の符号を付しており、重複する説明は省略又は簡略化する。
【００１２】
［買い物支援システムの構成］
図１は、本実施の形態に係る買い物支援システム１００の構成を示す図である。図１に示す買い物支援システム１００は、ユーザの買い物を支援するシステムであって、可視光通信照明器具１０１と、買い物カート１０２と、携帯端末１０３と、無線基地局１０４と、店舗サーバ１０５と、可視光ＩＤデータベース１０６と、ネットワーク１０７と、レシピサーバ１０８と、レシピデータベース１０９とを含む。
【００１３】
可視光通信照明器具１０１は、店舗に設置されており、可視光通信信号１１１を送信する。なお、可視光通信とは、照明の光量（照度）を時間変更するパターンを用いて情報を伝送することである。つまり、可視光通信照明器具１０１は、送信する情報（後述する可視光ＩＤ）に対応するパターンで光量を変更する。具体的には、時間スロットごとに、第１光量又は第２光量で光が照射され、各光量により二値の情報が表現される。
【００１４】
買い物カート１０２は、店舗に配置されており、買い物時にユーザに使用される。この買い物カート１０２は、可視光受信装置１２４を備える。可視光受信装置１２４は、可視光通信信号１１１を受信し、可視光通信信号１１１に基づく通知信号１１２を携帯端末１０３へ送信する。つまり、可視光受信装置１２４は、受光した光の光量の変化のパターンに基づき、当該パターンで示される情報を復号し、得られた情報を示す通知信号１１２を携帯端末１０３へ送信する。
【００１５】
携帯端末１０３は、ユーザが所有する端末装置であり、例えば、スマートフォンである。この携帯端末１０３は、無線基地局１０４を介して店舗サーバ１０５と通信する。また、携帯端末１０３は、ネットワーク１０７を介してレシピサーバ１０８と通信する。
【００１６】
例えば、携帯端末１０３は、Ｗｉ−Ｆｉ（登録商標）又は４Ｇ等の無線通信を用いて、無線基地局１０４と通信する。無線基地局１０４及び店舗サーバ１０５は、店舗に設置されており、ＬＡＮ（ローカルエリアネットワーク）を介して接続されている。ネットワーク１０７は、公衆通信網であり、例えば、インターネット又は電話通信網である。
【００１７】
なお、携帯端末１０３と、店舗サーバ１０５及びレシピサーバ１０８との接続関係は上記に限定されず、携帯端末１０３と、店舗サーバ１０５及びレシピサーバ１０８とが通信可能であればどのような接続関係であってもよい。例えば、携帯端末１０３と店舗サーバ１０５とはネットワーク１０７を介して接続されてもよい。
【００１８】
また、店舗サーバ１０５と可視光ＩＤデータベース１０６との接続関係、及び、レシピサーバ１０８とレシピデータベース１０９との接続関係も任意でよく、サーバが対応するデータベースを有していてもよいし、サーバと通信可能な他の機器がデータベースを有していてもよい。また、サーバとデータベースを有する機器とがネットワーク１０７を介して接続されていてもよい。
【００１９】
［買い物カート１０２の構成］
図２は、買い物カート１０２の概観を示す図である。買い物カート１０２は、商品が戴置される商品戴置部１２１と、商品戴置部を移動自在に支持する可動部１２２と、可動部１２２又は商品戴置部１２１に取り付けられた取手部１２３と、可視光受信装置１２４とを備えている。
【００２０】
図３は、取手部１２３及び可視光受信装置１２４の概観を示す図である。取手部１２３は、ユーザが握るための握り部１３１と、商品戴置部１２１の手前側に、商品戴置部１２１と略平行状態で配置された棒状体１３２とを含む。
【００２１】
可視光受信装置１２４は、棒状体１３２の中央部分に設けられている。図４は、可視光受信装置１２４のブロック図である。図４に示すように、可視光受信装置１２４は、受光部１４１と、制御部１４２と、送信部１４３と、近接無線通信部１４４と、電源部１４５とを備える。
【００２２】
受光部１４１は、可視光通信照明器具１０１から送信された可視光通信信号１１１を受信する。例えば、図３に示すように、受光部１４１は、可視光受信装置１２４の上面側（天井側）に設けられている。
【００２３】
送信部１４３は、携帯端末１０３に通知信号１１２を送信する。例えば、送信部１４３はＢｌｕｅｔｏｏｔｈ（登録商標）等の無線通信により携帯端末１０３と通信する。なお、ここでは、無線通信による送信機能のみを記載しているが、可視光受信装置１２４は、無線通信による受信機能を有してもよい。
【００２４】
近接無線通信部１４４は、近接無線通信（ＮＦＣ）により携帯端末１０３と通信する。
【００２５】
電源部１４５は、例えば、電池であり、可視光受信装置１２４に含まれる各処理部に電力を供給する。制御部１４２は、各処理部の動作を制御する。
【００２６】
このように、買い物カート１０２に可視光受信装置１２４及び受光部１４１を設置することにより、常時、可視光受信装置１２４により可視光通信信号１１１を受信できるとともに、受信感度を向上できる。
【００２７】
［携帯端末１０３の構成］
図５は、携帯端末１０３のブロック図である。図５に示すように、携帯端末１０３は、受信部１５１と、制御部１５２と、通信部１５３と、近接無線通信部１５４と、操作部１５５と、表示部１５６と、電源部１５７とを備える。
【００２８】
受信部１５１は、可視光受信装置１２４から送信された通知信号１１２を受信する。例えば、受信部１５１はＢｌｕｅｔｏｏｔｈ（登録商標）等の無線通信により携帯端末１０３と通信する。なお、ここでは、無線通信による受信機能のみを記載しているが、携帯端末１０３は、無線通信による送信機能を有してもよい。
【００２９】
通信部１５３は、ネットワークを介した通信機能を有し、店舗サーバ１０５及びレシピサーバ１０８と通信する。
【００３０】
近接無線通信部１４４は、近接無線通信（ＮＦＣ）により可視光受信装置１２４と通信する。
【００３１】
操作部１５５は、例えば、タッチパネルであり、ユーザの操作を受け付ける。表示部１５６は、例えば、ディスプレイであり、各種情報を表示する。
【００３２】
電源部１５７は、例えば、電池であり、携帯端末１０３に含まれる各処理部に電力を供給する。制御部１５２は、各処理部の動作を制御する。
【００３３】
［全体動作］
図６は、買い物支援システム１００における全体の動作を示す図である。
【００３４】
まず、ユーザは、携帯端末１０３に料理支援アプリケーション（アプリ）をインストールするとともに、買い物支援システムに会員登録する（Ｓ１０１）。なお、これらの処理は、携帯端末１０３が、レシピサーバ１０８又は店舗サーバ１０５にアクセスすることにより行なわれてもよいし、これら以外のサーバにアクセスすることにより行なわれてもよい。
【００３５】
次に、ユーザは、携帯端末１０３で料理支援アプリケーションを起動する（Ｓ１０２）。
【００３６】
次に、ユーザは、図７に示すように、自宅において冷蔵庫１６１内に残っている使いたい食材を確認する。そして、図８に示すように、使いたい食材を示す情報を携帯端末１０３に入力する（Ｓ１０３）。これにより、携帯端末１０３は、使いたい食材の指定を受け付け、使いたい食材の情報を記憶する（Ｓ１０４）。この例では冷蔵庫内に大根が存在しており、ユーザが大根を使いたい場合を示している。
【００３７】
次に、ユーザは携帯端末１０３を所持し、食料販売店である店舗に食材を購入しに出かける。ユーザは店舗に入ると、図９に示すように、店舗に配置されている買い物カート１０２を手にする（Ｓ１０５）。
【００３８】
次に、ユーザは、携帯端末１０３を可視光受信装置１２４の近接無線通信部１４４にかざす（接近させる）（Ｓ１０６）。その結果、携帯端末１０３と可視光受信装置１２４とは近接無線通信により通信を行い（Ｓ１０７及びＳ１０８）、携帯端末１０３と可視光受信装置１２４とは無線通信のためのペアリングを行う（Ｓ１０９）。具体的には、携帯端末１０３の識別情報が可視光受信装置１２４に送られ、可視光受信装置１２４の識別情報が携帯端末１０３に送られる。可視光受信装置１２４は、後述する通知信号１１２の無線送信の際に、可視光受信装置１２４及び携帯端末１０３の識別情報を含む通知信号１１２を無線送信することで、携帯端末１０３宛で通知信号１１２を送信する。また、携帯端末１０３は、通信号１１２にペアリングされた可視光受信装置１２４及び携帯端末１０３の識別情報が含まれる場合、当該通知信号１１２を処理対象の信号と認識する。また、これらの処理は、制御部１４２及び１５２により行なわれる。
【００３９】
また、ここでは、ペアリングの方法として近接無線通信を用いる例を述べたが、ペアリングの方法はこの方法以外であってもよい。例えば、通信相手の識別情報をユーザが入力してもよい。
【００４０】
次に、ユーザは、買い物カート１０２を押して買い物をする（Ｓ１１０）。図９に示すように、店舗には、複数の可視光通信照明器具１０１が設置されている。また、各可視光通信照明器具１０１は、当該可視光通信照明器具１０１の位置を示す可視光ＩＤを含む可視光通信信号１１１を送信している。なお、可視光ＩＤは、可視光通信照明器具１０１ごとに設定されていてもよいし、所定の範囲に配置されている可視光通信照明器具１０１のグループごとに設定さていてもよい。
【００４１】
そして、ユーザが、ある可視光通信照明器具１０１が照射する光の範囲に入ると（Ｓ１１１）、可視光受信装置１２４は、当該可視光通信照明器具１０１から送信される可視光通信信号１１１を受信し（Ｓ１１２）、当該可視光通信信号１１１で示される可視光ＩＤを示す通知信号１１２を携帯端末１０３へ送信する（Ｓ１１３）。
【００４２】
携帯端末１０３は、通知信号１１２で示される可視光ＩＤを用いて所定の処理を行う（Ｓ１１４）。なお、この処理の詳細は後述する。また、このステップＳ１１１〜Ｓ１１４の処理がユーザの買い物が終わるまで繰り返される。
【００４３】
その後、ユーザは、レジに並び（Ｓ１１５）、買い物カート１０２を返却し、店舗を出る（Ｓ１１６）。また、携帯端末１０３は、可視光受信装置１２４からの無線信号を受信できなくなると料理支援アプリケーションを終了する（Ｓ１１７）。
【００４４】
［買い物時の動作］
次に、図６に示すステップＳ１１１〜Ｓ１１４の処理について詳細に説明する。図１０は、この処理の流れを示す図である。また、上述したように、携帯端末１０３には、ユーザが使いたい食材（この例では大根）の情報が記憶されている。
【００４５】
ユーザが、ある可視光通信照明器具１０１が照射する光の範囲に入ると（Ｓ１２１）、上述したように、当該可視光通信照明器具１０１から送信される可視光通信信号１１１で示される可視光ＩＤが携帯端末１０３へ送信される。携帯端末１０３は、可視光ＩＤを店舗サーバ１０５に送信する（Ｓ１２２）。店舗サーバ１０５は、可視光ＩＤデータベース１０６を参照し、受信した可視光ＩＤに対応付けられている食材の情報、つまり、ユーザの近傍の食材の情報を携帯端末１０３へ送信する（Ｓ１２３）。
【００４６】
図１１は、可視光ＩＤデータベース１０６の一例を示す図である。図１１に示すように、各可視光ＩＤに、商品を一意に識別するための識別子である商品コードと、商品名と、当該商品の単価と、当該商品の販売単位（個数等）と、当該商品の産地と、当該商品が特売品であるか否かを示す特売フラグとが対応付けられている。店舗サーバ１０５は、受信した可視光ＩＤに対応付けられているこれらの情報の一部又は全てを携帯端末１０３へ送信する。
【００４７】
次に、携帯端末１０３は、ユーザに指定された使いたい食材と、店舗サーバ１０５から通知された近傍の食材とを示す情報をレシピサーバ１０８に送信する（Ｓ１２４）。
【００４８】
レシピサーバ１０８は、レシピデータベース１０９から、受信した、使いたい食材及び近傍の食材を用いる料理レシピをレシピデータベース１０９から探索し（Ｓ１２５）、得られた１以上の料理レシピを示す情報をレシピ候補として携帯端末１０３に送信する（Ｓ１２６）。
【００４９】
図１２は、レシピデータベース１０９の一例を示す図である。図１２に示すように、各レシピの情報は、レシピを一意に特定するためのレシピＩＤと、レシピ名と、当該レシピが何人分の料理のレシピであるかを示す情報と、当該レシピの材料と、当該レシピを登録したユーザを特定するためのユーザＩＤと、当該レシピの人気を示す人気度とを含む。例えば、人気度は、当該レシピが使用又は閲覧された回数、他のユーザに入力された当該レシピに対する評価値、又はこられの組合せに基づき設定される。
【００５０】
レシピサーバ１０８は、レシピの材料に、使いたい食材及び近傍の食材が含まれるレシピを探索する。
【００５１】
レシピ候補を受信した携帯端末１０３は、図１３に示すように、レシピ候補を表示する（Ｓ１２７）。ここで、レシピ候補は、レシピ毎に、レシピ名と、料理の画像と、使用する手持ちの材料と、人気度と、その店舗の特売品を使用したレシピであるかを示す情報とを示す。なお、図１３において人気度は、星印の数により示されており、星印の数が多いほど人気度が高いことを示す。
【００５２】
ユーザは、表示されたレシピ候補からレシピを選択し（Ｓ１２８）、携帯端末１０３は、選択されたレシピ候補の情報を表示する（Ｓ１２９）。例えば、ユーザがスクロール操作を行うことで、画面に表示されるレシピ候補が順次変更される。なお、この操作は、必要に応じて繰り返し行なわれる。
【００５３】
次に、ユーザは、表示されたレシピ候補から選択するレシピを決定し（Ｓ１３０）、携帯端末１０３は、図１４に示すように、決定されたレシピの情報を表示する（Ｓ１３１）。図１４は、ぶり大根が選択された例を示す。また、この時、何人分の料理を作成するかがユーザにより入力される。なお、この情報は予め登録されていてもよい。
【００５４】
例えば、この情報は、レシピ名と、レシピを登録したユーザを示す情報と、料理の画像と、当該レシピの人気度と、特売品が使用されているかを示す情報と、当該レシピが何人分の料理のレシピであるかを示す情報と、当該レシピの材料と、その店舗で材料を購入した場合の金額とが表示される。つまり、携帯端末１０３は、レシピサーバ１０８から取得した情報を用いて、ユーザに指定された人数分の材料を算出し、当該材料の値段を算出する。
【００５５】
また、ユーザが、図１４に示す地図表示ボタンを押すと（Ｓ１３２）、図１５に示す地図情報が表示される。具体的には、店舗サーバ１０５等から取得された売り場の地図情報に、可視光ＩＤに基づく現在地と、決定されたレシピに含まれる食材の販売エリアとが重畳表示される（Ｓ１３３）。例えば、ぶり大根が選択された場合には、ぶり及びしょうがの販売コーナーに印が表示される。
【００５６】
また、ユーザがレシピに含まれる食材の位置へ移動すると（Ｓ１３４）、携帯端末１０３は、その旨をユーザに通知する（Ｓ１３５）。例えば、携帯端末１０３は、音、振動又は画面変化によりユーザへの通知を行なう。そして、ユーザは、レシピに含まれる食材を取る（Ｓ１３６）。このステップＳ１３４〜Ｓ１３６の動作が、各食材に対して行なわれる。
【００５７】
以上のように、本実施の形態では、買い物カート１０２に可視光受信装置１２４が設けられていることにより、ユーザの利便性を向上できる。例えば、携帯端末１０３等のユーザが所有する機器が可視光通信信号１１１の受信機能を有する必要なく、店舗に来店したユーザに可視光通信信号１１１に含まれる情報に基づくサービスを提供できる。
【００５８】
具体的には、買い物支援システム１００は、可視光通信信号１１１に含まれる位置情報に基づき、ユーザの現在位置を把握できる。これにより、買い物支援システム１００は、ユーザの現在位置の表示、又は、ユーザの現在位置に応じた適切な処理を実現できる。
【００５９】
また、可視光受信装置１２４が買い物カート１０２に設けられることにより、ユーザは両手が開いた状態で買い物を楽しむことができるので、ユーザの利便性を向上できる。
【００６０】
さらに、可視光受信装置１２４が買い物カート１０２に設けられることにより、可視光受信装置１２４は、常時、可視光通信照明器具１０１からの可視光通信信号１１１を受信することができるので、ユーザの利便性を向上できる。
【００６１】
また、決定された料理に必要な食材が存在する場所及び現在地が携帯端末１０３に表示されるので、ユーザの利便性を向上できる。例えば、ユーザは、自分の位置及び必要な食材の位置を確認することができるので、必要な食材を短時間で購入できる。
【００６２】
なお、上記説明では、ユーザが店舗に来店後にレシピを決定する例を述べたが、ユーザは来店前にレシピを決定しておいてもよい。例えば、来店前又は来店後の任意のタイミングにおいて、ユーザ操作に基づき、使いたい食材を含むレシピ候補が携帯端末１０３に表示されてもよい。この場合、来店後の上述した処理により使用するレシピが変更されてもよい。
【００６３】
例えば、ユーザは、自宅を出るときにはぶり大根を作ると決めて来店したが、その日の特売情報でジャガイモ及び牛スジが示される場合には、携帯端末１０３に例えばおでんのレシピが再度表示される。ユーザはこの情報に基づき、特売品を活用したレシピに使用するレシピを変更することができる。この場合には、肉のコーナーと野菜のコーナーに必要な食材が存在すること、及び、それが特売品であることが表示される。
【００６４】
また、上述したように、携帯端末１０３は、指定された食材と、食材販売店の特売情報で示される特売食材とに基づき料理レシピを表示する。具体的には、上述したように、携帯端末１０３は、レシピに含まれる各食材が特売品である場合には、その旨を表示する。なお、携帯端末１０３は、特売品を含むレシピを優先的に表示してもよい。例えば、特売品を含むレシピをリストの先頭に表示してもよい。または、携帯端末１０３は、特売品を含むレシピのみを表示してもよい。
【００６５】
これにより、ユーザは、使用した食材を指定するだけで、特売品を含むレシピを検索できるので、ユーザの利便性を向上できる。
【００６６】
［変形例］
上記説明では、可視光通信信号１１１により位置情報のみが送信される例を述べたが、店舗サーバ１０５又はレシピサーバ１０８から送信される情報の一部又は全てが、可視光通信信号１１１により送信されてもよい。具体的には、図１６に示すように、店舗サーバ１０５又はレシピサーバ１０８が可視光通信照明器具１０１と通信可能であり、可視光通信照明器具１０１は、店舗サーバ１０５又はレシピサーバ１０８から送信された情報を可視光通信信号１１１として送信してもよい。
【００６７】
例えば、可視光通信照明器具１０１は、上記特売情報を示す可視光通信信号１１１を送信してもよい。この場合、可視光受信装置１２４は、可視光通信信号１１１に基づき、特売情報を示す通知信号１１２を携帯端末１０３に送信する。携帯端末１０３は、ユーザにより指定された食材と、通知信号１１２で示される特売情報で示される特売食材とに基づき上記と同様に料理レシピを表示する。
【００６８】
また、上述した可視光ＩＤの場合と同様に、可視光通信信号１１１はＩＤを示し、携帯端末１０３が、ＩＤと情報との関係を示す予め定められたテーブル（上記例では可視光ＩＤデータベース１０６）等を参照することにより情報を取得してもよいし、可視光通信信号１１１に情報そのものが示されてもよい。
【００６９】
［サービス］
以下、上記買い物支援システム１００を用いたサービスについて説明する。図１７は、買い物支援システム１００を用いたサービスを説明するための図である。
【００７０】
例えば、上述したレシピサーバ１０８を用いるレシピサービスを運営する会社が、上述した買い物支援システム１００（可視光システム）を管理する。店舗は、レシピサービスに有料登録することにより、可視光システムを導入する。また、レシピサービスは、店舗にレシピ選択の統計情報等のお客の情報を店舗に提供する。これにより、店舗は、どのようなレシピに人気があり、どのような食材が売れる可能性が高いかを判断することができる。
【００７１】
また、お客は、レシピサービスにユーザ登録することで、レシピを検索し、取得できる。さらに、レシピサービスが可視光システムに対応することにより、ユーザの利便性が向上するので、レシピサービスへの登録者の増加を期待できる。
【００７２】
また、店舗に可視光システムが導入されることにより、ユーザの利便性が向上する。これにより、可視光システムを導入した店舗へ来店する客数の増加が期待できる。また、レシピサービスは、店舗から受け取ったお買い特情報等をお客に提供する。これにより、来店する客数の増加が期待できる。このように、レシピサービス、店舗、及びお客の各々にメリットが発生する。
【００７３】
以上、本発明の実施の形態に係る買い物カート及び買い物支援システムについて、実施の形態に基づいて説明したが、本発明は、これらの実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【００７４】
また、上記実施の形態に係る買い物支援システムに含まれる複数の装置に含まれる複数の処理部の少なくとも一部は、集積回路であるＬＳＩとして実現されてもよい。これらは個別に１チップ化されてもよいし、一部又は全てを含むように１チップ化されてもよい。
【００７５】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【００７６】
また、上記各実施の形態において、複数の構成要素の一部又は全ては、専用のハードウェアで構成されるか、各構成要素に適したソフトウェアプログラムを実行することによって実現されてもよい。各構成要素は、ＣＰＵまたはプロセッサなどのプログラム実行部が、ハードディスク又は半導体メモリなどの記録媒体に記録されたソフトウェアプログラムを読み出して実行することによって実現されてもよい。
【００７７】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【符号の説明】
【００７８】
１００  買い物支援システム
１０１  可視光通信照明器具
１０２  買い物カート
１０３  携帯端末
１２４  可視光受信装置
【図１】
2016162384.tif 000003
【図２】
2016162384.tif 000004
【図３】
2016162384.tif 000005
【図４】
2016162384.tif 000006
【図５】
2016162384.tif 000007
【図６】
2016162384.tif 000008
【図７】
2016162384.tif 000009
【図８】
2016162384.tif 000010
【図９】
2016162384.tif 000011
【図１０】
2016162384.tif 000012
【図１１】
2016162384.tif 000013
【図１２】
2016162384.tif 000014
【図１３】
2016162384.tif 000015
【図１４】
2016162384.tif 000016
【図１５】
2016162384.tif 000017
【図１６】
2016162384.tif 000018
【図１７】
2016162384.tif 000019